(57)【要約】【課題】組立・設置作業及び解体・撤去作業を円滑かつ迅速に行うことができると共に、使用しない際にはコンパクトに収納しておくことができ、害獣類による被害を確実に防止することができる害獣防御装置を提供する。【解決手段】メタルラス１０と、メタルラス１０を支持する支持部材５０とを有し、メタルラス１０は、一縁部１５が地面に固定され、一縁部１５とは反対側の縁部１６が、支持部材５０に支持されて地面３００から所定の間隔をあけて配設されてなり、支持部材５０によって支持されたメタルラス１０で対象物を包囲して害獣類から防御する害獣防御装置１である。【選択図】図１
0003133289.tif 000002
【実用新案登録請求の範囲】
【請求項１】
メタルラスと、当該メタルラスを支持する支持部材とを有し、当該支持部材によって支持されたメタルラスで対象物を包囲して害獣類から防御する害獣防御装置であって、
前記メタルラスは、一縁部が地面に固定され、当該一縁部とは反対側の縁部が、前記支持部材に支持されて前記地面から所定の間隔をあけて配設されてなる害獣防御装置。
【請求項２】
前記メタルラスは、前記対象物側に位置する縁部が前記地面に固定されてなる請求項１記載の害獣防御装置。
【請求項３】
前記メタルラスは、前記対象物側に位置する縁部が前記支持部材に支持されて前記地面から所定の間隔をあけて配設されてなる請求項１記載の害獣防御装置。
【請求項４】
前記支持部材は、
前記地面に設置される脚部と、
前記脚部の一方の先端に連続的に形成され、前記メタルラスに形成されている網目を画定する孔に挿入されて当該網目と係合する係合部と、
を備えてなり、
前記係合部は、前記脚部の長手方向に対し鋭角に屈曲された屈曲部と、屈曲部に連続して形成され且つ略Ｕ字状に湾曲する湾曲部と、を備えてなる請求項１ないし請求項３のいずれか一項に記載の害獣防御装置。
【請求項５】
前記支持部材は、前記脚部の他方の先端を前記地面に差し込むことで、前記メタルラスを地面に固定してなる請求項４記載の害獣防御装置。
【請求項６】
メタルラスと、当該メタルラスを支持する第１の支持部材とを有し、当該第１の支持部材によって支持されたメタルラスで対象物を包囲して害獣類から防御する害獣防御装置であって、
前記メタルラスは、一縁部と、当該一縁部とは反対側の縁部とが重なるように巻かれてなり、当該重ねられた部分を前記第１の支持部材で固定すると共に、当該巻かれた状態のメタルラスを当該第１の支持部材で地面に固定する害獣防御装置。
【請求項７】
前記第１の支持部材は、前記メタルラスに形成されている網目を画定する複数の孔を貫通することで、前記重ねられた部分を固定する請求項６記載の害獣防御装置。
【請求項８】
前記第１の支持部材を複数有し、少なくとも１本の第１の支持部材で前記重ねられた部分を固定し、残りの第１の支持部材で前記重ねられた部分以外の領域を支持し、地面に固定する請求項６または請求項７記載の害獣防御装置。
【請求項９】
前記巻かれた状態のメタルラスを支持する第２の支持部材をさらに備え、当該巻かれた状態のメタルラスを当該第２の支持部材によって地面に固定する請求項６ないし請求項８のいずれか一項に記載の害獣防御装置。
【請求項１０】
前記第１の支持部材は、
前記地面に設置される脚部と、
前記脚部の一方の先端に連続的に形成され、前記メタルラスに形成されている網目を画定する孔に挿入されて当該網目と係合する係合部と、
を備えてなり、
前記係合部は、前記脚部の長手方向に対し鋭角に屈曲された屈曲部と、屈曲部に連続して形成され且つ略Ｕ字状に湾曲する湾曲部と、を備えてなる請求項６ないし請求項９のいずれか一項に記載の害獣防御装置。
【請求項１１】
前記第１の支持部材は、前記脚部の他方の先端を前記地面に差し込むことで、前記メタルラスを地面に固定してなる請求項１０記載の害獣防御装置。
【考案の詳細な説明】
【技術分野】
【０００１】
本考案は、果樹、農作物、草花、植木、ゴミ集積所、養殖池等が、害獣類により被害を受けることを防止する害獣防御装置に関する。
【背景技術】
【０００２】
従来から、果樹、農作物、草花、植木、ゴミ集積所、養殖池等が、害獣類により被害を受けることを防止する手段として、様々な害獣防御装置が紹介されている。例えば、キャップ下部に通過口を設け、ツル、枝葉がキャップ内外へ成長できるようにし、キャップは太陽光及び通気性を持たせるため、網目もしくは穴構造をなし、カラスのような屈強な嘴から守られる材質で、キャップが飛ばされないように、脚は抜け防止ピンを使用して確実に固定するようにした鳥害防止装置がある。また、この鳥害防止装置は、キャップ表面及び頂上に光反射鏡を配置して、鳥を近づきにくくしており、畑の中にまばらに点在する果実を、最小の資材と労力で効果的に鳥から守ろうとするものである。（例えば、特許文献１参照）。
【０００３】
また、開放切り込み部を有した笠状キャップの内側に足の長さの異なる２つのリブ体を設け、その短い方のリブ体は筒状胴体の上部に設けられた受座の長穴に挿入され、長い方のリブ体は筒状胴体の内側に挿入されることを特長とする防鳥ネット支柱用キャップも紹介されている。（例えば、特許文献２参照）。
【特許文献１】特開２００３−２３５４３５号公報
【特許文献２】実用新案登録第３０９１４１５号公報
【考案の開示】
【考案が解決しようとする課題】
【０００４】
しかしながら、特許文献１に記載された鳥害防止装置は、キャップの形状が大きくなるため高価であり、また設置するのに非常に労力が大きく、簡単に取り外すこともできないので、取り扱いが煩雑である。
【０００５】
また、特許文献２に記載された防鳥ネットは、支柱を挿入するキャップに縦横方向から架設する支線を貫通させてこれを下方から支柱を差し込んで張り支えるようにしていたものであるから、網体の円滑かつ迅速な張設は困難で、組立てるためには時間と手数がかかっていた。
【０００６】
ここで、特に果樹、農作物等は、害獣防御装置によって保護する必要がある期間は、主に、苗が育ち、果物や農作物が収穫できるようになるまでの期間である。言い換えれば、果樹に実が付いていない時期や、畑を休ませている時期には、害獣防御装置によって保護する必要がない。したがって、害獣防御装置を使用しない時期には、害獣防御装置を取り除くことが望まれており、害獣防御装置の組立及び設置作業を簡単に行うことや、解体及び撤去作業を簡単に行うことが必要とされている。また、害獣防御装置を使用しない時期には、害獣防御装置をコンパクトに収納できることも望まれている。
【０００７】
本考案は、このような事情に鑑みなされたものであり、組立・設置作業及び解体・撤去作業を円滑かつ迅速に行うことができると共に、使用しない際にはコンパクトに収納しておくことができ、害獣類による被害を確実に防止することができる害獣防御装置を提供することを目的とする。
【課題を解決するための手段】
【０００８】
この目的を達成するため本考案は、メタルラスと、当該メタルラスを支持する支持部材とを有し、当該支持部材によって支持されたメタルラスで対象物を包囲して害獣類から防御する害獣防御装置であって、前記メタルラスは、一縁部が地面に固定され、当該一縁部とは反対側の縁部が、前記支持部材に支持されて前記地面から所定の間隔をあけて配設されてなる害獣防御装置を提供するものである。
【０００９】
この構成を備えた害獣防御装置は、害獣類から防御すべき対象物を包囲するメタルラスの一端部が地面に固定され、この地面に固定された側とは反対側の縁部が、支持部材によって地面から所定の間隔をあけて配設された構成を備えている。したがって、この害獣防御装置で包囲した領域内に害獣類が侵入することを防止することができ、前記対象物に害獣類が被害を与えることを阻止することができる。また、メタルラスと支持部材との組み合わせにより構成されているため、構造がシンプルであり、組立・設置作業及び解体・撤去作業を円滑かつ迅速に行うことができると共に、使用しない際にはコンパクトに収納しておくことができる。
【００１０】
前記メタルラスは、前記対象物を包囲した際に、当該対象物側に位置する縁部を地面に固定して配設してもよい。このように配設した場合、前記メタルラスと地面との距離は、対象物に近づくにしたがって狭くなり、害獣類の侵入を阻止することができる。また、前記対象物側に位置する縁部を前記支持部材によって支持した場合、害獣がメタルラスの地面に固定された側から当該メタルラスの上に乗ることは可能であるが、対象物に近づくためには、傾斜した不安定なメタルラスの上を歩かなければならない。ここで、害獣類は、傾斜した不安定なメタルラスの上を歩くことを嫌う習性があるため、この場合も害獣類の侵入を阻止することができる。
【００１１】
また、本考案にかかる害獣防御装置では、前記支持部材が、前記地面に設置される脚部と、前記脚部の一方の先端に連続的に形成され、前記メタルラスに形成されている網目を画定する孔に挿入されて当該網目と係合する係合部と、を備えてなり、前記係合部は、前記脚部の長手方向に対し鋭角に屈曲された屈曲部と、屈曲部に連続して形成され且つ略Ｕ字状に湾曲する湾曲部と、を備えることもできる。前記支持部材をこのように構成することで、メタルラスを支持部材で支持した際には、略Ｕ字状の湾曲部がメタルラスの網目に確実に係合すると共に外れにくくなるため、当該メタルラスをさらに安定した状態で支持することができる。
【００１２】
そしてまた、前記支持部材が、前記脚部と屈曲部とを備えている場合、当該脚部の他方の先端（屈曲部側とは反対側の先端）を前記地面に差し込むことで、前記メタルラスを地面に固定することができるため、地面から地上に延出した脚部の長さによって、メタルラスの高さを調整することができる。したがって、メタルラスの傾斜角度を簡単且つ任意に調整することができ、汎用性を向上することができる。
【００１３】
また、本考案は、メタルラスと、当該メタルラスを支持する第１の支持部材とを有し、当該第１の支持部材によって支持されたメタルラスで対象物を包囲して害獣類から防御する害獣防御装置であって、前記メタルラスは、一縁部と、当該一縁部とは反対側の縁部とが重なるように巻かれてなり、当該重ねられた部分を前記第１の支持部材で固定すると共に、当該巻かれた状態のメタルラスを当該第１の支持部材で地面に固定する害獣防御装置を提供するものである。
【００１４】
この構成を備えた害獣防御装置は、前記巻かれた状態のメタルラスによって対象物を包囲することができるため、この包囲した領域内に害獣類が侵入することを防止することができ、前記対象物に害獣類が被害を与えることを阻止することができる。また、巻かれた状態のメタルラスと支持部材との組み合わせにより構成されているため、構造がシンプルであり、組立・設置作業及び解体・撤去作業を円滑かつ迅速に行うことができる。さらにまた、使用しない際には、前記メタルラスの巻きを解除して平坦なメタルラスとしておくこともでき、コンパクトに収納することができる。
【００１５】
また、この構成を備えた害獣防御装置は、前記巻かれた状態のメタルラスの重ねられた部分が、当該メタルラスに形成されている網目を画定する複数の孔に、前記第１の支持部材を貫通させることで固定されるよう構成することができる。したがって、前記メタルラスの重なった部分の固定と、当該メタルラスの支持及び地面への固定を１つの部材（すなわち、第１の支持部材）によって行うことができるため、前記利点に加え、部品点数を必要最低限に抑えることができる。
【００１６】
そしてまた、本考案にかかる害獣防御装置は、前記第１の支持部材を複数有し、少なくとも１本の第１の支持部材で前記巻かれた状態のメタルラスの重ねられた部分を固定し、残りの第１の支持部材で前記重ねられた部分以外の領域を支持し、地面に固定する構成を備えていてもよい。このように構成することで、前記利点に加え、前記巻かれた状態のメタルラスをより一層安定した状態で支持することができると共に、確実に地面に固定することができる。
【００１７】
さらにまた、本考案にかかる害獣防御装置は、前記巻かれた状態のメタルラスを支持する第２の支持部材をさらに備え、当該巻かれた状態のメタルラスを当該第２の支持部材によって地面に固定する構成を備えていてもよい。このように構成することで、前記利点に加え、前記巻かれた状態のメタルラスをより一層安定した状態で支持することができると共に、確実に地面に固定することができる。
【００１８】
また、本考案にかかる害獣防御装置では、前記第１の支持部材が、前記地面に設置される脚部と、前記脚部の一方の先端に連続的に形成され、前記メタルラスに形成されている網目を画定する孔に挿入されて当該網目と係合する係合部と、を備えてなり、前記係合部は、前記脚部の長手方向に対し鋭角に屈曲された屈曲部と、屈曲部に連続して形成され且つ略Ｕ字状に湾曲する湾曲部と、を備えた構成を有することもできる。このように構成することで、巻かれた状態のメタルラスを、前記湾曲部によって吊り上げた状態（引っ張り上げた状態）とすることができ、さらに安定した状態でこのメタルラスを支持することができる。
【００１９】
そしてまた、前記第１の支持部材が、前記脚部と屈曲部とを備えている場合、当該脚部の他方の先端を前記地面に差し込むことで、前記巻かれた状態のメタルラスを地面に固定することができるため、地面から地上に延出した脚部の長さによって、この巻かれた状態のメタルラスの高さを調整することができる。したがって、対象物の高さに応じた高さ調整を簡単に行うことができ、汎用性を向上することができる。
【００２０】
なお、本考案でいうメタルラスとは、薄板に、一定の間隔で切れ目を入れ伸ばすことで網目を形成した部材のことをいう。また、本考案でいう害獣とは、保護対象物（例えば、果樹、農作物、草花、植木、ゴミ集積所、養殖池等）に被害を与える生き物全般のことをいう。
【考案の効果】
【００２１】
本考案にかかる害獣防御装置は、害獣類から防御すべき対象物を包囲するメタルラスの一端部が地面に固定され、この地面に固定された側とは反対側の縁部が、支持部材によって地面から所定の間隔をあけて配設された構成を備えている結果、前記対象物に害獣類が被害を与えることを阻止することができる。また、メタルラスと支持部材との組み合わせにより構成されているため、構造がシンプルであり、組立・設置作業及び解体・撤去作業を円滑かつ迅速に行うことができると共に、使用しない際にはコンパクトに収納しておくことができる。
【００２２】
また、本考案にかかる害獣防御装置は、巻かれた状態のメタルラスによって対象物を包囲することができる結果、前記対象物に害獣類が被害を与えることを阻止することができる。また、巻かれた状態のメタルラスと支持部材との組み合わせにより構成されているため、構造がシンプルであり、組立・設置作業及び解体・撤去作業を円滑かつ迅速に行うことができる。さらにまた、使用しない際には、前記メタルラスの巻きを解除して平坦なメタルラスとしておくこともでき、コンパクトに収納することができる。
【考案を実施するための最良の形態】
【００２３】
次に、本考案の好適な実施の形態にかかる害獣防御装置について図面を参照して説明する。なお、以下に記載される実施の形態は、本考案を説明するための例示であり、本考案をこれらの実施の形態にのみ限定するものではない。したがって、本考案は、その要旨を逸脱しない限り、様々な形態で実施することができる。
【００２４】
（実施の形態１）
図１は、本考案の実施の形態１にかかる害獣防御装置で対象物を包囲した状態を示す斜視図であって、害獣防御装置の一部を省略して示す図、図２は、図１に示すII−II線に沿った断面図、図３は、実施の形態１にかかる害獣防御装置の構成要素であるメタルラスの平面図、図４は、実施の形態１にかかる害獣防御装置の構成要素である第１の支持部材の側面図である。なお、前記各図では、説明を判りやすくするため、各部材の厚さやサイズ、拡大・縮小率等は、実際のものとは一致させずに記載した。
【００２５】
図１〜図４に示すように、本考案の実施の形態１にかかる害獣防御装置１は、メタルラス１０と、メタルラス１０を支持する支持部材５０とを備えて構成されている。
【００２６】
メタルラス１０は、特に図３に示すように、複数の側壁１１及び１２によって略六角形状に画定された複数の穴１３が互いに隣接する網目を備えている。このメタルラス１０は、例えば、金属板に、ミシン目のように一定の間隔で切れ目を入れ、これらの切れ目を伸ばして前記網目を形成することで製造される。なお、このメタルラス１０は、水平な面に載置された際に、穴１３を画定する側壁１２が、当該水平な面に対し略垂直になるように矯正されてもよい。
【００２７】
このメタルラス１０は、針金のような線材から製造されるのではなく、前述したように金属板に、ミシン目のように一定の間隔で切れ目を入れるという打ち抜きによって製造されるため、幅が広く、長さの長いものを簡単に製造することができる。例えば、金属板の幅が約２ｍ、長さが約１００ｍ程度以上のサイズの金属板であっても使用可能である。また、一般的には、メタルラスとは、厚さ１ｍｍ以下の金属製の薄板に、一定の間隔で切れ目を入れ、この切れ目を伸ばして略板状にしたものを指すが、本考案では、前記方法によってメタルラス１０を製造可能であれば、金属板の厚さは特に限定されるものではなく、メタルラス１０の使用条件等によって任意に選択することができる。なお、実施の形態１では、前記金属板として、厚さが約０．３ｍｍ〜０．４ｍｍ程度、幅が約９０ｃｍ、長さが５０ｍの鉄板を使用してメタルラス１０を製造した。
【００２８】
支持部材５０は、特に図４に示すように、円柱状の脚部５１と、脚部５１の一方の先端に連続的に形成された係合部５５を備えている。脚部５１は、係合部５５が形成された側とは反対側の端部が、地面３００（図２参照）に差し込まれることで、支持部材５０を地面３００に設置する。係合部５５は、脚部５１の長手方向に対し鋭角（角度α）に屈曲された屈曲部５２と、屈曲部５２に連続して形成され且つ略Ｕ字状に湾曲する湾曲部５３を備えており、メタルラス１０の穴１３に挿入されて、湾曲部５３を側壁１１及び／または側壁１２に引っ掛けることで、メタルラス１０の網目と確実に係合する。
【００２９】
この害獣防御装置１は、図１及び図２に示すように、保護すべき対象物１００の周りを取り囲むように配設される。具体的には、固定部材６０によって、メタルラス１０の幅方向一縁部１５を地面３００に接触するように固定し、この地面３００と固定した一縁部１５とは反対側の縁部１６に形成された任意の穴１３に、支持部材５０の係合部５５を挿入し、湾曲部５３を側壁１１及び／または側壁１２に引っ掛けた状態で、縁部１６を持ち上げて、縁部１６と地面３００との間に所定の間隔が開けられる高さとなるように、支持部材５０の脚部５１の先端を地面３００に差し込む。この時、脚部５１の地面３００から地上に延出している長さによって、メタルラス１０の縁部１６の高さを任意に調整することができる。したがって、メタルラス１０の傾斜角度を、例えば、害獣の種類や、保護すべき対象物１００の種類等、様々な条件に応じて変更することができる。また、湾曲部５３がメタルラス１０の網目に確実に係合し、外れにくいため、メタルラス１０を安定した状態で地面３００に支持・固定することができる。
【００３０】
また、メタルラス１０は、前述したように、厚さが約０．３ｍｍ〜０．４ｍｍ程度の薄い金属板から形成されているため、設置場所に応じて撓むことができ、扱いやすいと共に軽く、組立・設置作業を簡単に行うことができる。
【００３１】
なお、実施の形態１では、保護すべき対象物１００側に位置する縁部１５を地面３００に接触するように固定し、対象物１００から離れた側の縁部１６を支持部材５０によって支持した状態で地面３００に固定した。したがって、害獣類から見れば、メタルラス１０の下に入る空間は形成されているが、メタルラス１０の下に入って対象物１００に近づこうとすると、前記空間が徐々に狭くなり、前進することが不可能となる。このため、害獣類の侵入を阻止することができる。
【００３２】
一方、害獣防御装置１による保護が不必要となった場合は、支持部材５０を地面３００から引き抜き、係合部５５をメタルラス１０の穴１３から外し、固定部材６０による固定を解除すればよい。このように、メタルラス１０、支持部材５０及び固定部材６０の解体・撤去作業を円滑かつ迅速に行うことができる。また、害獣防御装置１を使用しない際にはコンパクトに収納しておくことができる。
【００３３】
なお、実施の形態１では、保護すべき対象物１００側に位置する縁部１５を地面３００に固定し、対象物１００から離れた側の縁部１６を支持部材５０によって支持した場合について説明したが、これに限らず、害獣防御装置１は、保護すべき対象物１００側に位置する縁部１５を支持部材５０によって支持し、対象物１００から離れた側の縁部１６を地面３００に固定してもよい。
【００３４】
このようにメタルラス１０を配置した場合は、害獣類が対象物１００に近づこうとすると、害獣類の目の前に、メタルラス１０によって形成された坂（傾斜面）があることになるが、害獣類がメタルラス１０の地面３００に固定された縁部１６付近からメタルラス１０の上に乗ることは可能である。しかしながら、対象物１００にさらに近づくためには、傾斜したメタルラス１０の上を歩かなければならない。このメタルラス１０は、傾斜しているため不安定であり、また厚さが薄いことから、害獣類が歩くたびに撓んで足元が動く（揺れる）可能性もある。ここで、害獣類は、このような不安定な物の上を歩くことを嫌う習性があるため、害獣類が対象物１００に近づくことを防止でき、害獣類の侵入を阻止することができる。そしてまた、メタルラス１０は、太陽等から放射される光を反射するため、鳥類も近づき難くなる。
【００３５】
また、実施の形態１では、脚部５１の長手方向に対し鋭角に屈曲された屈曲部５２と、この屈曲部５２に連続して形成され且つ略Ｕ字状に湾曲する湾曲部５３とを有する係合部５５を備えた支持部材５０を使用した場合について説明したが、これに限らず、支持部材５０は、メタルラス１０を支持し、地面３００から所定の間隔をあけて配設可能であれば、他の構成を備えていてもよい。
【００３６】
そしてまた、メタルラス１０の穴１３のサイズや形状は、所望により決定することができる。
【００３７】
さらにまた、害獣防御装置１は、対象物１００を害獣類から保護する以外に、例えば、瓜類等の農耕地の代わりをすることもできる。例えば、肥料や水分を含んだ培養器に、カボチャ（瓜類）やヘチマ、ひょうたん、朝顔等を植え、この培養器の近傍に害獣防御装置１を配設することで、蔓を誘引することができる。
【００３８】
（実施の形態２）
次に、本考案の実施の形態２にかかる害獣防御装置について図面を参照して説明する。
【００３９】
図５は、本考案の実施の形態２にかかる害獣防御装置の斜視図、図６は、図５に示す害獣防御装置で対象物を包囲した状態を示す斜視図、図７は、図５に示す害獣防御装置を地面から上に持ち上げて対象物包囲した状態を示す斜視図である。なお、前記各図では、説明を判りやすくするため、各部材の厚さやサイズ、拡大・縮小率等は、実際のものとは一致させずに記載した。また、実施の形態２では、前述した実施の形態１にかかる害獣防御装置１と同様の部材には、同一の符号を付し、その詳細な説明は省略する。
【００４０】
図５〜図７に示すように、実施の形態２にかかる害獣防御装置２は、メタルラス１０を巻いて略円筒形にした略円筒形メタルラス２０と、この略円筒形メタルラス２０を支持して地面３００に設置する支持部材５０を有している。略円筒形メタルラス２０は、メタルラス１０を巻いてその両端部を重ね、この重なった両端部を支持部材５０で固定することにより略円筒形状が維持されている。具体的には、支持部材５０の脚部５１を、メタルラス１０の重なった両端部に形成されている複数の穴１３に貫通させることで、前記重なった両端部を支持部材５０で縫合する（ぐし縫いする）ようにして固定している。なお、前述したようにメタルラス１０は、薄い金属板から形成されているため、支持部材５０が複数の穴１３を貫通する際に、その動きに追従することができ、メタルラス１０の重ねられた部分を、簡単に固定することができる。
【００４１】
また、略円筒形メタルラス２０の上部に形成されている穴１３には係合部５５が挿入されて係合し、湾曲部５３によって、略円筒形メタルラス２０が吊り上げられた状態（引っ張り上げられた状態）で支持される。そして、脚部５１の下端は、地面３００に差し込まれ、略円筒形メタルラス２０が地面３００に配設される。なお、略円筒形メタルラス２０は、軽いので支持部材５０によって地面にしっかりと簡単に固定することができる。
【００４２】
この害獣防御装置２は、図６に示すように、略円筒形メタルラス２０で対象物２００を取り囲むように配設される。すなわち、略円筒形メタルラス２０によって対象物２００を包囲することができるため、この包囲した領域内に害獣類が侵入することを防止することができ、前記対象物に害獣類が被害を与えることを阻止することができる。また、害獣防御装置２は、略円筒形メタルラス２０と、支持部材５０との組み合わせにより構成されているため、構造がシンプルであり、組立・設置作業及び解体・撤去作業を円滑かつ迅速に行うことができる。さらに、支持部材５０は、略円筒形メタルラス２０の支持・固定と、メタルラス１０の両端部を固定する固定部材を兼用しているため、メタルラス１０の両端部を固定するための固定部材を別途使用する必要がなく、部品点数を必要最低限に抑えることができる。
【００４３】
また、例えば、対象物２００が成長し、その高さが高くなった場合には、図７に示すように、脚部５１の地面３００に差し込まれていた部分を地上に出して脚部５１の地面３００から延出している部分の長さを長くすることで、略円筒形メタルラス２０の地面３００からの高さを調整することができ、成長した対象物２００の高さに簡単に合わせることができる。さらにまた、脚部５１の長さが長いものを使用すれば、伸長していく対象物２００（例えば、果樹等の樹木）に対しても適用することができる。
【００４４】
また、害獣防御装置２は、図８に示すように、その下端部を、支持部材７０によってさらに支持・固定することもできる。この支持部材７０は、円柱状の脚部７１と、脚部７１の一方の先端に連続的に形成された係合部７５を備えている。脚部７１は、支持部材５０の脚部５１よりも長さが短くなっているが、下端が脚部５１と同様に地面３００に差し込まれることで、略円筒形メタルラス２０を地面３００に固定する。また、係合部７５は、脚部７１の長手方向に対し屈曲された屈曲部７２と、屈曲部７２に連続して形成され且つ略Ｕ字状または略Ｃ字状に湾曲する湾曲部７３を備えており、略円筒形メタルラス２０の穴１３に挿入されて、湾曲部７３を側壁１１及び／または側壁１２に引っ掛けることで、略円筒形メタルラス２０の網目と確実に係合する。このようにすることで、略円筒形メタルラス２０をより一層安定した状態で支持することができると共に、確実に地面３００に固定することができる。
【００４５】
そしてまた、害獣防御装置２は、図９に示すように、複数の支持部材５０によって、略円筒形メタルラス２０を支持固定してもよい。この場合、メタルラス１０の両端部を固定する支持部材５０以外の支持部材５０も、略円筒形メタルラス２０の複数の穴１３に貫通させることで、略円筒形メタルラス２０を縫合するようにして配設してもよい。このようにすることで、略円筒形メタルラス２０を、さらにしっかりと支持することができる。そして、このように複数の支持部材５０で略円筒形メタルラス２０を支持することで、略円筒形メタルラス２０をより一層安定した状態で維持することができると共に、確実に地面３００に固定することができる。
【００４６】
さらにまた、複数の支持部材５０で略円筒形メタルラス２０を支持することで、図１０に示すように、脚部５１の地面３００に差し込まれていた部分を地上に出して脚部５１の地面３００から延出している部分の長さを長くした際にも、略円筒形メタルラス２０をより一層安定した状態で維持することができると共に、確実に地面３００に固定することができる。
【００４７】
なお、対象物２００（例えば果樹等の樹木）が成長した際は、図９に示すように、果樹の下の方は枝が払われ、地面３００との間に隙間ができても、害獣類がこの部分に被害を与えることは殆どない。
【００４８】
一方、害獣防御装置２による保護が不必要となった場合は、支持部材５０を地面３００から引き抜き、係合部７５を略円筒形メタルラス２０の穴１３から外すと共に、脚部７５を穴１３から外すことで、害獣防御装置２の解体・撤去作業を円滑かつ迅速に行うことができる。また、害獣防御装置２を使用しない際には、コンパクトに収納しておくことができる。
【００４９】
また、略円筒形メタルラス２０は、太陽等から放射される光を反射するため、鳥類やアブラムシ等も近づき難くなる。そしてまた、略円筒形メタルラス２０は、複数の穴１３が形成された網目状を有しているため、複数の穴１３を通して略円筒形メタルラス２０に包囲された対象物２００に日光が照射され、また空気の流通も確保できるため、対象物２００の生育に支障を来すこともない。
【００５０】
なお、実施の形態２では、メタルラス１０を巻くことで略円筒形メタルラス２０を形成した場合について説明したが、これに限らず、対象物２００の形状や種類等に応じて、メタルラス１０は、略三角柱や略四角柱等の多角柱を呈するように巻いてもよく、不定型な筒状に巻いてもよい。
【００５１】
また、本考案にかかる害獣防御装置の構成要素であるメタルラス１０は、前述したように、その原反となる金属板の幅及び長さの種類が豊富である。したがって、本考案にかかる害獣防御装置は、様々な形状やサイズを有する対象物に応じて、前記金属板の幅及び長さを任意に選択することができ、汎用性を向上することが可能である。また、支持部材５０の長さも任意に選択することができ、さらに汎用性を向上することが可能である。
【図面の簡単な説明】
【００５２】
【図１】本考案の実施の形態１にかかる害獣防御装置で対象物を包囲した状態を示す斜視図である。
【図２】図１に示すII−II線に沿った断面図である。
【図３】本考案の実施の形態１にかかる害獣防御装置の構成要素であるメタルラスの平面図である。
【図４】本考案の実施の形態１にかかる害獣防御装置の構成要素である第１の支持部材の側面図である。
【図５】本考案の実施の形態２にかかる害獣防御装置の斜視図である。
【図６】図５に示す害獣防御装置で対象物を包囲した状態を示す斜視図である。
【図７】図５に示す害獣防御装置を地面から上に持ち上げて対象物包囲した状態を示す斜視図である。
【図８】本考案の他の実施の形態にかかる害獣防御装置で対象物を包囲した状態を示す斜視図である。
【図９】本考案の他の実施の形態にかかる害獣防御装置で対象物を包囲した状態を示す斜視図である。
【図１０】本考案の他の実施の形態にかかる害獣防御装置で対象物を包囲した状態を示す斜視図である。
【符号の説明】
【００５３】
１、２    害獣防御装置
１０    メタルラス
１３    穴
１５、１６    縁部
２０    略円筒形メタルラス
５０    支持部材
５１、７１    脚部
５２、７２    屈曲部
５３、７３    湾曲部
５５、７５    係合部
６０    固定部材
７０    第２の支持部材
１００、２００    対象物
３００    地面
【図１】
0003133289.tif 000003
【図２】
0003133289.tif 000004
【図３】
0003133289.tif 000005
【図４】
0003133289.tif 000006
【図５】
0003133289.tif 000007
【図６】
0003133289.tif 000008
【図７】
0003133289.tif 000009
【図８】
0003133289.tif 000010
【図９】
0003133289.tif 000011
【図１０】
0003133289.tif 000012